(57)【特許請求の範囲】
【請求項１】
光を投射するプロジェクタと、
前記プロジェクタから投射された光を反射するミラーと、
前記反射された反射光が投射されるコンバイナと、
前記反射光が前記プロジェクタに投射されるときに前記反射光が通る開口領域を有し、前記プロジェクタおよび前記ミラーを収容する筐体と、
第１のカバー部分と第２のカバー部分とを有し、前記第１のカバー部分が前記筐体に対して固定された第１の回転支点を中心に前記筐体に対して回転可能に設けられ、前記第１のカバー部分が第１の端部と第２の端部とを有し、前記第２のカバー部分が前記第１の端部および前記第２の端部に対して固定された第２の回転支点を中心に前記第１のカバー部分に対して回転可能に設けられ、前記第１のカバー部分と前記第２のカバー部分とが前記開口領域を覆うカバーと、
前記第１のカバー部分および前記第２のカバー部分が前記開口領域を覆う際に、前記第２のカバー部分を前記筐体の外側方向に付勢する付勢手段と、を備え、
前記第２のカバー部分は、
前記筐体の開口領域側の端部に係止するように、前記第１の端部の近傍に設けられた第１の係止部と前記第２の端部の近傍に設けられた第２の係止部とを備え、
前記第１のカバー部分と前記第２のカバー部分とが前記開口領域を覆う際に、前記第１の係止部および前記第２の係止部が前記筐体の開口領域側の端部に係止し、
前記第１のカバー部分を前記筐体に対して回転させた場合において、前記筐体の底部に係止した前記第１の係止部および前記第２の係止部が、前記第２のカバー部分を下方に付勢して、前記第１のカバー部分に対して前記第２の回転支点を中心に前記第２のカバー部分を回転させる、
ヘッドアップディスプレイ装置。
【請求項２】
光を投射するプロジェクタと、
前記プロジェクタから投射された光を反射するミラーと、
前記反射された反射光が投射されるコンバイナと、
前記反射光が前記プロジェクタに投射されるときに前記反射光が通る開口領域を有し、前記プロジェクタおよび前記ミラーを収容する筐体と、
第１のカバー部分と第２のカバー部分とを有し、前記第１のカバー部分が前記筐体に対して固定された第１の回転支点を中心に前記筐体に対して回転可能に設けられ、前記第１のカバー部分が第１の端部と第２の端部とを有し、前記第２のカバー部分が前記第１の端部および前記第２の端部に対して固定された第２の回転支点を中心に前記第１のカバー部分に対して回転可能に設けられ、前記第１のカバー部分と前記第２のカバー部分とが前記開口領域を覆うカバーと、
前記第１のカバー部分および前記第２のカバー部分が前記開口領域を覆う際に、前記第２のカバー部分を前記筐体の外側方向に付勢する付勢手段と、を備え、
前記第２のカバー部分は、
前記筐体の開口領域側の端部に係止するように、前記第１の端部の近傍に設けられた第１の係止部と前記第２の端部の近傍に設けられた第２の係止部と、
前記第１の回転支点側の側面の近傍に第３の係止部と、備え、
前記第１の係止部および前記第２の係止部が前記筐体の開口領域側の端部に係止する際に、前記第３の係止部は、前記第２のカバー部分の前記第１の回転支点側の側面が向かい合う前記第１のカバー部分の側面近傍に接し、
前記第１の係止部および前記第２の係止部が前記筐体の底部に係止する際に、前記第３の係止部は、前記筐体の底部に接する、
ヘッドアップディスプレイ装置。
【請求項３】
前記第１のカバー部分および前記第２のカバー部分を、第２の回転支点を中心に回転可能に接続する回転シャフトを備え、前記付勢手段がねじりコイルばねである、請求項１または２に記載のヘッドアップディスプレイ装置。
【請求項４】
前記第１のカバー部分と前記第２のカバー部分とが前記開口領域を覆う際に、前記第２のカバー部分と前記筐体の開口領域側の端部とが係止する領域において、前記第２のカバー部分が押下された場合に、前記筐体と、前記第２のカバー部分の第１の回転支点側の第２の側面とが互いに押圧するよう形成されている、請求項１から３の何れか１項に記載のヘッドアップディスプレイ装置。
【請求項５】
前記第２のカバー部分は、前記第１の端部の近傍に設けられた第１の突起部および前記第２の端部の近傍に設けられた第２の突起部を備え、
前記第２の側面は前記第１の突起部および前記第２の突起部の側面であり、
前記筐体は、前記第１のカバー部分と前記第２のカバー部分とが前記開口領域を覆う際に、前記第２の側面と互いに押圧する突起部を、開口領域側の端部近傍に備える、請求項４に記載のヘッドアップディスプレイ装置。
【発明の詳細な説明】
【技術分野】
【０００１】
本開示は、ヘッドアップディスプレイ装置に関する。
【背景技術】
【０００２】
従来、自動車などの車両に搭載されるヘッドアップディスプレイ（ＨＵＤ：Head-Up Display）が知られている。また、ヘッドアップディスプレイの一例として、コンバイナに情報を表示することで、運転者を支援するものが知られている。コンバイナは運転者の前方に起立して配置されるが、運転者がコンバイナを使用しない場合、起立したコンバイナが運転者の前方の視界に入り、運転の邪魔になるという問題がある。
【０００３】
このような問題に対して、コンバイナを使用しないときにコンバイナをインストルメンタルパネル（ダッシュボードともいう）内に格納する格納装置を利用したヘッドアップディスプレイ装置が開示されている（特許文献１参照）。コンバイナの格納時には、意匠の品位を上げるために、カバーにて光路やコンバイナを隠すものもある。
【先行技術文献】
【特許文献】
【０００４】
【特許文献１】特許第５０２０２５２号公報
【発明の概要】
【発明が解決しようとする課題】
【０００５】
コンバイナの格納時にカバーにて光路やコンバイナを隠す場合、筐体の開口領域側の端部にカバーの端部が下側から当接することにより、カバーが筐体の開口領域を閉塞する構造が知られている。この構造においては、閉塞状態にあるカバーの端部と筐体とは当接状態にある。
【０００６】
ヘッドアップディスプレイ装置は、インストルメンタルパネルに設けられるので、車両の動きに伴いインストルメンタルパネルの上に置かれたコインやアクセサリ等の物体がカバーの上部に移動する場合がある。この場合に、閉塞状態にあるカバーの上部に移動した物体の自重によりカバーの端部と筐体との当接状態が解除されると、物体が筐体とカバーとの間にできた隙間から落下してしまう問題がある。また、車両が振動するときに閉塞状態にあるカバーの端部と筐体との当接状態が解除されると、カバーの端部と筐体とがぶつかり合うことにより車両の振動に伴うラトル音が発生してしまう問題がある。さらに、閉塞状態にあるカバーを車両のユーザが押下することにより閉塞状態が容易に解除されてしまうと、ヘッドアップディスプレイ装置の製品としての価値が低下してしまう問題がある。
【０００７】
これらの問題に対処するためには、押下する力が作用した閉塞状態のカバーと筐体との当接状態を維持する必要がある。
【０００８】
本開示の目的は、ヘッドアップディスプレイ装置において、押下する力が作用した閉塞状態のカバーと筐体との当接状態を、より安定的に維持することである。
【課題を解決するための手段】
【０００９】
本開示の一態様に係るヘッドアップディスプレイ装置は、光を投射するプロジェクタと、前記プロジェクタから投射された光を反射するミラーと、前記反射された反射光が投射されるコンバイナと、前記反射光が前記プロジェクタに投射されるときに前記反射光が通る開口領域を有し、前記プロジェクタおよび前記ミラーを収容する筐体と、第１のカバー部分と第２のカバー部分とを有し、前記第１のカバー部分が前記筐体に対して固定された第１の回転支点を中心に前記筐体に対して回転可能に設けられ、前記第１のカバー部分が第１の端部と第２の端部とを有し、前記第２のカバー部分が前記第１の端部および前記第２の端部に対して固定された第２の回転支点を中心に前記第１のカバー部分に対して回転可能に設けられ、前記第１のカバー部分と前記第２のカバー部分とが前記開口領域を覆うカバーと、前記第１のカバー部分および前記第２のカバー部分が前記開口領域を覆う際に、前記第２のカバー部分を前記筐体の外側方向に付勢する付勢手段と、を備え、前記第２のカバー部分は、前記筐体の開口領域側の端部に係止するように、前記第１の端部の近傍に設けられた第１の係止部と前記第２の端部の近傍に設けられた第２の係止部とを備え、前記第１のカバー部分と前記第２のカバー部分とが前記開口領域を覆う際に、前記第１の係止部および前記第２の係止部が前記筐体の開口領域側の端部に係止し、前記第１のカバー部分を前記筐体に対して回転させた場合において、前記筐体の底部に係止した前記第１の係止部および前記第２の係止部が、前記第２のカバー部分を下方に付勢して、前記第１のカバー部分に対して前記第２の回転支点を中心に前記第２のカバー部分を回転させる。
本開示の一態様に係るヘッドアップディスプレイ装置は、光を投射するプロジェクタと、前記プロジェクタから投射された光を反射するミラーと、前記反射された反射光が投射されるコンバイナと、前記反射光が前記プロジェクタに投射されるときに前記反射光が通る開口領域を有し、前記プロジェクタおよび前記ミラーを収容する筐体と、第１のカバー部分と第２のカバー部分とを有し、前記第１のカバー部分が前記筐体に対して固定された第１の回転支点を中心に前記筐体に対して回転可能に設けられ、前記第１のカバー部分が第１の端部と第２の端部とを有し、前記第２のカバー部分が前記第１の端部および前記第２の端部に対して固定された第２の回転支点を中心に前記第１のカバー部分に対して回転可能に設けられ、前記第１のカバー部分と前記第２のカバー部分とが前記開口領域を覆うカバーと、前記第１のカバー部分および前記第２のカバー部分が前記開口領域を覆う際に、前記第２のカバー部分を前記筐体の外側方向に付勢する付勢手段と、を備え、前記第２のカバー部分は、前記筐体の開口領域側の端部に係止するように、前記第１の端部の近傍に設けられた第１の係止部と前記第２の端部の近傍に設けられた第２の係止部と、前記第１の回転支点側の側面の近傍に第３の係止部と、備え、前記第１の係止部および前記第２の係止部が前記筐体の開口領域側の端部に係止する際に、前記第３の係止部は、前記第２のカバー部分の前記第１の回転支点側の側面が向かい合う前記第１のカバー部分の側面近傍に接し、前記第１の係止部および前記第２の係止部が前記筐体の底部に係止する際に、前記第３の係止部は、前記筐体の底部に接する。
【発明の効果】
【００１０】
本開示によれば、ヘッドアップディスプレイ装置において、押下する力が作用した閉塞状態のカバーと筐体との当接状態を、より安定的に維持することができる。
【図面の簡単な説明】
【００１１】
【図１】コンバイナ収容時のヘッドアップディスプレイ装置の断面図である。
【図２】コンバイナ上昇時のヘッドアップディスプレイ装置の断面図である。
【図３】カバー開閉時のヘッドアップディスプレイ装置の第２のカバー部分周辺の上面図である。
【図４Ａ】図３のヘッドアップディスプレイ装置のＸ−Ｘ断面図である。
【図４Ｂ】図３のヘッドアップディスプレイ装置のＹ−Ｙ断面図である。
【図５Ａ】閉塞状態のカバーにおいて、第２の回転支点を中心に回転しようとする第２のカバー部分の一例の説明図である。
【図５Ｂ】閉塞状態のカバーにおいて、第１の回転支点を中心に回転しようとする第２のカバー部分の一例の説明図である。
【図６Ａ】カバーの裏面図である。
【図６Ｂ】図６ＡのカバーのＸ−Ｘ断面図である。
【図６Ｃ】図６Ａの第１の係止部近傍の拡大図である。
【図７Ａ】閉塞状態のカバーにおいて、第２の回転支点を中心に回転しようとする第２のカバー部分の他の一例の説明図である。
【図７Ｂ】閉塞状態のカバーにおいて、第１の回転支点を中心に回転しようとする第２のカバー部分の他の一例の説明図である。
【発明を実施するための形態】
【００１２】
以下、本開示の実施の形態について、図面を参照して詳細に説明する。
【００１３】
（第１の実施の形態）
図１は、コンバイナ１３０収容時のヘッドアップディスプレイ装置１００の断面図である。図２は、コンバイナ１３０上昇時のヘッドアップディスプレイ装置１００の断面図である。図３は、カバー開閉時のヘッドアップディスプレイ装置１００の第２のカバー部分１５４周辺の上面図である。ヘッドアップディスプレイ装置１００は、例えば、車両のインストルメンタルパネル（ダッシュボードともいう）に備えられる。
【００１４】
図１に示すように、ヘッドアップディスプレイ装置１００は、プロジェクタ１１０と、ミラー１２０と、コンバイナ１３０と、筐体１４０と、カバー１５０と、を備える。筐体１４０は、プロジェクタ１１０と、ミラー１２０と、を収容する。一例において、筐体１４０は、コンバイナ１３０を収容可能に設けられる。カバー１５０は、筐体１４０の開口領域１６０を覆い、筐体１４０の開口領域１６０を閉塞したり、解放したりするように設けられる。
【００１５】
コンバイナ１３０は、カバー１５０が開口領域１６０を解放するのに伴い、開口領域１６０を通って上昇するように筐体１４０に設けられる。コンバイナ１３０は、例えばハーフミラーであり、板ガラスと、この板ガラスの一方の面に蒸着された錫または銀などの光半透過膜とで構成されている。ユーザは、コンバイナ１３０を通して車両の前方を目視できる。
【００１６】
コンバイナ１３０の上昇時に、コンバイナ投射面１３２には、プロジェクタ１１０から投射され、ミラー１２０によって反射された反射光が画像として投射される。画像がコンバイナ投影面１３２に投射される際に、当該反射光は、開口領域１６０を通る。これにより、ユーザには、コンバイナ１３０に投射された画像が車両前方の風景に重畳されて見えることになる。この画像は、例えば、車両の速度、燃料の残量などを示す画像、または、目的地までの距離、進行方向、現在地名、現在地付近に存在する施設、店舗の名称などを示す画像などである。一例において、コンバイナ１３０は、筐体１４０に収容されコンバイナ１３０を昇降させるコンバイナ昇降装置（図示せず）に接続される。
【００１７】
カバー１５０は、第１のカバー部分１５２と、第２のカバー部分１５４とを有する。第１のカバー部分１５２は、第１の端部１５２ａと、第２の端部１５２ｂと、側面１５２ｃと、を有する。第２のカバー部分１５４は、第１の端部１５４ａと、第２の端部１５４ｂと、第１の係止部１５６ａと、第２の係止部１５６ｂと、第３の係止部１５８と、を有する。第１の係止部１５６ａおよび第２の係止部１５６ｂは、それぞれ第１の端部１５２ａおよび第２の端部１５２ｂの近傍に設けられる。
【００１８】
第１のカバー部分１５２は、第１のギア部４４０を備える。第１のギア部４４０は、第１のカバー部分１５２に対して固定されて設けられる。カバー開閉機構（図示せず）が第１のギア部４４０を駆動することにより、第１のカバー部分１５２は、筐体１４０に対して固定された第１の回転支点Ｃ１を中心に、筐体１４０に対して回転する。例えば、当該カバー開閉機構は、電動モータ（図示せず）を備え、当該電動モータによりギア部４４０を駆動する。
【００１９】
第２のカバー部分１５４は、第１のカバー部分１５２の第１の端部１５２ａおよび第２の端部１５２ｂのそれぞれに固定された第２の回転支点Ｃ２を中心に、第１のカバー部分１５２に対して回転可能に接続される。第２のカバー部分１５４を第１のカバー部分１５２に接続するための接続部材としては、例えば、第１のカバー部分１５２の第１の端部１５２ａの近傍および第２のカバー部分１５４の第１の端部１５４ａの近傍を貫通する回転シャフトと、例えば、第１のカバー部分１５２の第２の端部１５２ｂの近傍および第２のカバー部分１５４の第２の端部１５４ｂの近傍を貫通する回転シャフトが用いられる。
【００２０】
第１の係止部１５６ａおよび第２の係止部１５６ｂは、筐体１４０の開口領域１６０側の端部に係止すると、第１のカバー部分１５２と前記第２のカバー部分１５４とが実質的に面一となって開口領域１６０を覆い、カバー１５０が開口領域１６０を閉塞する。第１の係止部１５６ａおよび第２の係止部１５６ｂは、例えば、それぞれ第２のカバー部分１５４の第１の端部１５４ａおよび第２の端部１５４ｂに対して固定させて設けられる。
【００２１】
第３の係止部１５８は、第２のカバー部分１５４の第１の回転支点Ｃ１側の第１の側面１５４ｃの近傍に対して固定して設けられる。第１の係止部１５６ａおよび第２の係止部１５６ｂが、筐体１４０の開口領域１６０側の端部に係止する際に、第３の係止部１５８は、第２のカバー部分１５４の第１の回転支点Ｃ１側の第１の側面１５４ｃが向かい合う第１のカバー部分１５２の側面１５２ｃ近傍に接する。この状態で、第２のカバー部分１５４の第１の回転支点Ｃ１側の第１の側面１５４ｃが第１のカバー部分１５２に向いており、第１のカバー部分１５２および第２のカバー部分１５４が実質的に面一となって開口領域１６０を覆う。
【００２２】
一例において、第３の係止部１５８が第１のカバー部分１５２の側面１５２ｃ近傍に接する際に、第２のカバー部分１５４を筐体１４０の外側方向に付勢する付勢手段が設けられる。付勢手段は、例えば、第２のカバー部分１５４を第１のカバー部分１５２に接続する接続部材に付加された弾性体部材である。弾性体部材については、図６Ａ〜図６Ｃを参照して後述する。こうすると、カバー１５０が開口領域１６０を閉塞しているときに、第２のカバー部分１５４を押下する力が加わった場合であっても、カバー１５０による開口領域１６０の閉塞状態を維持し易くなる。
【００２３】
次に、開口領域１６０を閉塞するカバー１５０の解放動作を説明する。コンバイナ１３０の上昇に伴いカバー１５０の解放動作が開始されると、第１の係止部１５６ａおよび第２の係止部１５６ｂが筐体１４０の底部に到達するまで、第２のカバー部分１５４は、第１のカバー部分１５２とともに、筐体１４０に対して固定された第１の回転支点Ｃ１を中心に、筐体１４０に対して回転する。
【００２４】
次いで、第１の係止部１５６ａおよび第２の係止部１５６ｂが、筐体１４０の底部に到達すると、第１の係止部１５６ａおよび第２の係止部１５６ｂは、筐体１４０の底部に係止する。次いで、第１の係止部１５６ａおよび第２の係止部１５６ｂは、第２のカバー部分１５４を下方に付勢して、第２のカバー部分１５４を第１のカバー部分１５２に対して第２の回転支点Ｃ２を中心に回転させる。こうすると、第２のカバー部分１５４は第１のカバー部分１５２に対して供給される駆動力のみに基づき回転することが可能となるため、第２のカバー部分１５４専用の駆動手段を個別に設ける必要がない。
【００２５】
第２のカバー部分１５４が第１のカバー部分１５２に対して第２の回転支点Ｃ２を中心に回転し、第３の係止部１５８が筐体１４０の底部に到達すると、第３の係止部１５８は、筐体１４０の底部に接する。この状態において、第２のカバー部分１５４がプロジェクタ１１０からミラー１２０に投射される光の光路上に存在しなくなることにより、プロジェクタ１１０から投射された光の光路１７０が確保される。
【００２６】
図４Ａは、図３のヘッドアップディスプレイ装置１００のＸ−Ｘ断面図である。図４Ｂは、図３のヘッドアップディスプレイ装置１００のＹ−Ｙ断面図である。図４Ａにおいて、第２のカバー部分１５４は一部省略されている。図４Ａ〜図４Ｂに示されるように、第１のカバー部分１５２の解放時に、第２のカバー部分１５４の第１の端部１５４ａに対して固定させて設けられた第１の係止部１５６ａが筐体１４０の底部に係止する一方、第１のカバー部分１５２の第１の端部１５２ａは筐体１４０の底部に接触しない。第２の係止部１５６ｂおよび第２の端部１５２ｂについても同様である。こうすると、第１のカバー部分１５２の解放時に、カバー１５０は、第１の係止部１５６ａおよび第２の係止部１５６ｂの２箇所においてのみ筐体１４０の底部に接触することができ、解放時のカバー１５０をより安定的に固定することができる。
【００２７】
図５Ａは、閉塞状態のカバー１５０において、第２の回転支点Ｃ２を中心に回転しようとする第２のカバー部分１５４の一例の説明図である。図５Ｂは、閉塞状態のカバー１５０において、第１の回転支点Ｃ１を中心に回転しようとする第２のカバー部分１５４の一例の説明図である。
【００２８】
図５Ａにおいて、第２のカバー部分１５４には押下する力が加えられている。第２のカバー部分１５４を押下する力は、第１の係止部１５６ａの筐体１４０側の端部と筐体１４０の裏側面との接触点を梃子の支点として、第２の回転支点Ｃ２を押下する力として第２の回転支点Ｃ２に作用する。一方、閉塞状態のカバー１５０においては、第１のカバー部分１５２に対して固定されて設けられた第１のギア部４４０が、第２の回転支点Ｃ２を支えている。
【００２９】
ここで、第２のカバー部分１５４の寸法は、第１の係止部１５６ａおよび第２の係止部１５６ｂの寸法と比較して大きく、梃子の原理により、第２のカバー部分１５４の、特に第３の係止部近傍を押下する力と比較して、第２の回転支点Ｃ２を押下する力は大きくなる。第２のカバー部分１５４を押下する力が増加すると、ある時点において、第１のギア部４４０は、第２の回転支点Ｃ２を押下する力に抗って第２の回転支点Ｃ２を支えることができなくなる。その結果、第２のカバー部分１５４が第１のカバー部分１５２に対して第２の回転支点Ｃ２を中心に回転してしまう。したがって、第２のカバー部分１５４を押下する力が作用した閉塞状態のカバー１５０と筐体１４０との当接状態をより安定的に維持するために、第２のカバー部分１５４を押下する力に抗う力を第２のカバー部分１５４に作用させることが考えられる。
【００３０】
図６Ａは、カバー１５０の裏面図である。図６Ｂは、図６Ａのカバー１５０のＸ−Ｘ断面図である。図６Ｃは、図５Ａの第１の係止部１５６ａ近傍の拡大図である。一例において、図６Ａ〜６Ｃで示されるように、ねじりコイルばね１５９ａおよび１５９ｂは、第１のカバー部分１５２および第２のカバー部分１５４を第２の回転支点Ｃ２を中心に回転可能に接続する回転シャフト１５３を取り巻くように設けられる。
【００３１】
ねじりコイルばね１５９ａおよび１５９ｂは、図６Ａ〜６Ｂで示されるように、一方の端部が第２の回転支点Ｃ２を挟んで第１の回転支点Ｃ１の反対側にある第１のカバー部分１５２に当接しする。さらに、他方の端部が第２の回転支点Ｃ２を挟んで第１の回転支点Ｃ１と同じ側にある第２のカバー部分１５４に当接する。この結果、図６Ｂで示されるように、ねじりコイルばね１５９ａおよび１５９ｂの復元力が第２のカバー部分１５４を筐体１４０の外側方向（矢印の向き）に付勢する。
【００３２】
ねじりコイルばね１５９ａおよび１５９ｂの復元力は、カバー１５０の閉塞時に、第１のカバー部分１５２および第２のカバー部分１５４を実質的に面一に維持することができる限りにおいて、その強さに特に制限はない。さらに、当該復元力は、筐体１４０の底部に係止した第１の係止部１５６ａおよび第２の係止部１５６ｂが、第２のカバー部分１５４を下方に付勢して第２のカバー部分１５４を第１のカバー部分１５２に対して第２の回転支点Ｃ２を中心に回転させることができる限りにおいて、その強さに特に制限はない。
【００３３】
ねじりコイルばね１５９ａおよび１５９ｂによる復元力は、第２のカバー部分１５４を押下する力に抗う力として第２のカバー部分１５４に作用する。これにより、第２のカバー部分１５４を押下する力が作用した閉塞状態のカバー１５０と筐体１４０との当接状態を、より安定的に維持することができる。
【００３４】
（第２の実施の形態）
ねじりコイルばね１５９ａおよび１５９ｂに加えて、以下に説明する構成を採用してもよい。図７Ａは、閉塞状態のカバー１５０において、第２の回転支点Ｃ２を中心に回転しようとする第２のカバー部分１５４の他の一例の説明図である。一例において、筐体１４０は、開口領域１６０側の開口領域１６０側の手前側端部に沿って、突起部１４２を備える。
【００３５】
筐体１４０は、第１のカバー部分１５２と第２のカバー部分１５４とが開口領域１６０を覆う際に、第２のカバー部分１５４と対向する面を、突起部１４２の裏側面に有する。第１のカバー部分１５２と第２のカバー部分１５４とが開口領域１６０を覆う際に、第２のカバー部分１５４と筐体１４０の開口領域１６０側の端部とが係止する領域において、第２のカバー部分１５４が押下された場合に、筐体１４０の突起部１４２と、第２のカバー部分１５４の第１の回転支点Ｃ１側の第２の側面とが互いに押圧する。一例において、第２の側面は、図７Ａにおいて、第１の突起部１５７ａおよび第２の突起部１５７ｂの側面のうち、突起部１４２と接触する側面である。一例として、第１の突起部１５７ａおよび第２の突起部１５７ｂは、それぞれ、第２のカバー部分１５４の第１の端部１５４ａおよび第２の端部１５４ｂに設けられる。
【００３６】
図６Ａにおいて、第２のカバー部分１５４を押下すると、第２のカバー部分１５４は、第２の回転支点Ｃ２を中心として回転しようとする。しかしながら、その際に筐体１４０に設けられた突起部１４２が、第１の突起部１５７ａの移動経路に干渉する。同様に、突起部１４２は、第２の突起部１５７ｂの移動経路にも干渉する。第２のカバー部分１５４を押下する力は、第１の突起部１５７ａおよび第２の突起部１５７ｂと突起部１４２との接触点を梃子の支点として、第２の回転支点Ｃ２を第１の回転支点Ｃ１を中心とする外径方向に押す力として第２の回転支点Ｃ２に作用する。この場合、第２のカバー部分１５４は第２の回転支点Ｃ２を中心として容易に回転しない。すなわち、第２のカバー部分１５４が押下されても、第２のカバー部分１５４は第１のカバー部分１５２に対して容易に回転しない。
【００３７】
一方、閉塞状態のカバー１５０において、第１のカバー部分１５２に対して固定されて設けられた第１のギア部４４０が回転しないように固定されている。したがって、第１のカバー部分１５２または第２のカバー部分１５４が押下されても、第１のカバー部分１５２は第１の回転支点Ｃ１を中心として容易に回転しない。すなわち、閉塞状態のカバー１５０において、カバー１５０が押下されても、第１のカバー部分１５２または第２のカバー部分１５４が実質的に面一であるようにカバー１５０が開口領域１６０を覆う状態は、容易に変化しない。したがって、第２のカバー部分１５４を押下する力が作用した閉塞状態のカバー１５０と筐体１４０との当接状態を、より安定的に維持することができる。
【００３８】
図７Ｂは、閉塞状態のカバー１５０において、第１の回転支点Ｃ１を中心に回転しようとする第２のカバー部分１５４の他の一例の説明図である。カバー１５０が第１の回転支点Ｃ１を中心として回転する場合、突起部１４２は、第１の突起部１５７ａおよび第２の突起部１５７ｂの移動経路に干渉しない。したがって、突起部１４２、第１の突起部１５７ａ、および第２の突起部１５７ｂは、カバー１５０の解放動作において障害となることはない。
【００３９】
（その他の実施の形態）
上記の実施の形態においては、第１のカバー部分１５２の解放時に、カバー１５０は、第２のカバー１５４の第１の係止部１５６ａおよび第２の係止部１５６ｂの２箇所においてのみ筐体１４０の底部に接触する。これに代えて、第１のカバー部分１５２の解放時に、カバー１５０は、第１のカバー部分１５２の第１の端部１５２ａおよび第２の端部１５２ｂの２箇所においてのみ筐体１４０の底部に接触してもよい。
【００４０】
上記の実施の形態においては、筐体１４０は、開口領域１６０側の手前側端部に沿って、突起部１４２を備える。これに代えて、筐体１４０は、開口領域１６０側の端部近傍の少なくとも２箇所に、それぞれ突起部を設けてもよい。
【００４１】
上記の実施の形態においては、筐体１４０は、開口領域１６０側の手前側端部に沿って、突起部１４２を備える。これに代えて、筐体１４０は、開口領域１６０側の端部に沿って、又は開口領域１６０側の端部近傍の少なくとも２箇所に、カバー１５０の閉塞時に突起部１４２が嵌合する溝部を備えてもよい。さらに、溝部は、深い部分ほど幅が狭くなる誘い込みの形状を有してもよく、溝部に嵌合する突起部１４２は、誘い込みの形状に適合する台形状の断面を有してもよい。あるいは、筐体１４０が溝部を有する代わりに、第２のカバー部分１５４が溝部を有してもよい。
【００４２】
上記の実施の形態においては、第１の突起部１５７ａおよび第２の突起部１５７ｂは、それぞれ第１の端部１５４ａおよび第２の端部１５４ｂに設けられる。第１の突起部１５７ａおよび第２の突起部１５７ｂに代えて、第２のカバー部分１５４は、第１の端部１５４ａおよび第２の端部１５４ｂの例えば中間部分の近傍に、筐体１４０の突起部１４２と接触する第３の突起部（図示せず）を備えてもよい。
【産業上の利用可能性】
【００４３】
本開示に係るヘッドアップディスプレイ装置は、車のインストルメンタルパネルにコンパクトに備えられるのに好適である。
【符号の説明】
【００４４】
１００  ヘッドアップディスプレイ装置
１１０  プロジェクタ
１２０  ミラー
１３０  コンバイナ
１３２  コンバイナ投射面
１４０  筐体
１４２  突起部
１５０  カバー
１５２  第１のカバー部分
１５２ａ  第１の端部
１５２ｂ  第２の端部
１５２ｃ  側面
１５３  回転シャフト
１５４  第２のカバー部分
１５４ａ  第１の端部
１５４ｂ  第２の端部
１５４ｃ  第１の側面
１５６ａ  第１の係止部
１５６ｂ  第２の係止部
１５７ａ  第１の突起部
１５７ｂ  第２の突起部
１５８  第３の係止部
１５９ａ，１５９ｂ  ねじりコイルばね
１６０  開口領域
１７０  光路
４４０  第１のギア部
Ｃ１  第１の回転支点
Ｃ２  第２の回転支点
【図１】
0006771142.tif 000002
【図２】
0006771142.tif 000003
【図３】
0006771142.tif 000004
【図４Ａ】
0006771142.tif 000005
【図４Ｂ】
0006771142.tif 000006
【図５Ａ】
0006771142.tif 000007
【図５Ｂ】
0006771142.tif 000008
【図６Ａ】
0006771142.tif 000009
【図６Ｂ】
0006771142.tif 000010
【図６Ｃ】
0006771142.tif 000011
【図７Ａ】
0006771142.tif 000012
【図７Ｂ】
0006771142.tif 000013